(57)【要約】【課題】チャイルドプルーフ機能を発揮させつつ、強い力を加えなくてもその機能を解除して内容物の抽出を可能とする、新たな抽出容器を提案する。【解決手段】本発明の抽出容器は、収納空間Ｍの内容物Ｃを抽出させる開口２ｇを周壁２ｄに備える内容器１と、内容器１を外周壁５ａの中心軸Ｏに沿って移動可能に保持する外容器４とを有するものであって、外周壁５ａは、底部６側に設けられる一端側雄ねじ５ｃと、一端側雄ねじ５ｃのねじ山に隣接して設けられる貫通孔５ｄとを有し、底部６は、内容器１に設けた係合部２ｅに連係して開口２ｇが外周壁５ａに囲まれた状態で維持される被係合部６ｅを備えた弾性部６ｄを有し、弾性部６ｄは、貫通孔５ｄから外周壁５ａの外側に突出し、外周壁５ａの内側に向かって押圧することで係合部２ｅと被係合部６ｅとの連係を解除する突起６ｆを有する。【選択図】図１
2018104064.tif 000002
【特許請求の範囲】
【請求項１】
内容物を収める収納空間を備えるとともに該収納空間の内容物を抽出させる開口を周壁に備える内容器と、
底部によって一端を閉鎖する一方、他端を開放した外周壁を備え、前記内容器を該外周壁の中心軸に沿って移動可能に保持する外容器とを有する抽出容器であって、
前記外周壁は、前記底部側に設けられる一端側雄ねじと、該外周壁を貫くとともに該一端側雄ねじのねじ山に隣接して設けられる貫通孔とを有し、
前記底部は、前記内容器に設けた係合部に連係して前記開口が前記外周壁に囲まれた状態で維持される被係合部を備えた弾性部を有し、
前記弾性部は、前記貫通孔から前記外周壁の外側に突出し、該外周壁の内側に向かって押圧することで前記係合部と前記被係合部との連係を解除する突起を有する抽出容器。
【請求項２】
前記貫通孔は、前記一端側雄ねじにおける隣り合うねじ山の相互間に位置する請求項１に記載の抽出容器。
【請求項３】
前記外周壁は、該外周壁の他端において前記一端側雄ねじと同形態となる他端側雄ねじを有してなり、
更に、前記一端側雄ねじ及び前記他端側雄ねじに対応する雌ねじを備えたキャップを有する請求項１又は２に記載の抽出容器。
【請求項４】
前記底部と前記内容器との間に、前記外周壁の他端に向けて該内容器を付勢する弾性体を備える請求項１〜３の何れか一項に記載の抽出容器。
【発明の詳細な説明】
【技術分野】
【０００１】
本発明は、内容物を抽出させる開口を備える内容器と、内容器を移動可能に保持する外容器とを備え、内容器の移動によって開口を露出させて内容器に収めた内容物の抽出を可能とする抽出容器に関するものである。
【背景技術】
【０００２】
従来、菓子や薬剤をはじめとする各種の内容物を収納する容器は、内容物の種類や使用用途によって種々のものが提案されている。例えば子どもの誤飲を防止する機能を備える容器も、各種のものが既知である。
【０００３】
このような機能に関するものとして、例えば特許文献１には、容器首部に螺着して閉栓する内キャップと、内キャップの外周を被覆する外キャップと、外キャップと内キャップの間に設けられるバネとを備え、バネ力により外キャップと内キャップの回転を伝達する歯の噛み合わせを外して空転するようにし、開栓したいときには外キャップを押し下げて回すように構成した、チャイルドプルーフキャップが挙げられている（同文献の段落０００３を参照）。
【０００４】
また同文献には、内キャップの外周に歯を設けるとともに外キャップにはつめ部を有する弾性変形可能な開栓操作部を設けたチャイルドプルーフキャップも挙げられていて、このキャップによれば、開栓操作部を押さずに外キャップを回転させても、つめ部が内キャップの歯を乗り越えて空転する一方、開栓操作部を押圧して弾性変形させれば、つめ部と歯が噛み合って、外キャップとともに内キャップも回転して開栓するとしている（同文献の請求項１等を参照）。
【先行技術文献】
【特許文献】
【０００５】
【特許文献１】特開２００３−１０４４０８号公報
【発明の概要】
【発明が解決しようとする課題】
【０００６】
ところで、特許文献１に記載のものは何れも、そのままの状態で通常通り動かしても開栓することはできないものの、力を加えることで開栓可能状態に切り替えられるというものである。すなわち、子どもに簡単に開けられないようにするには、ある程度の力を加えてはじめて開栓可能状態に切り替わるようにしなければならない。このため、このような構成を採用したものにあっては、子どもだけで無く、例えば高齢者のように力の衰えた大人にとっても開けづらい、という問題を抱えている。
【０００７】
本発明はこのような点を解決することを課題とし、チャイルドプルーフ機能を発揮させつつ、強い力を加えなくてもその機能を解除して内容物の抽出を可能とする、新たな抽出容器を提供することを目的とする。
【課題を解決するための手段】
【０００８】
本発明は、内容物を収める収納空間を備えるとともに該収納空間の内容物を抽出させる開口を周壁に備える内容器と、
底部によって一端を閉鎖する一方、他端を開放した外周壁を備え、前記内容器を該外周壁の中心軸に沿って移動可能に保持する外容器とを有する抽出容器であって、
前記外周壁は、前記底部側に設けられる一端側雄ねじと、該外周壁を貫くとともに該一端側雄ねじのねじ山に隣接して設けられる貫通孔とを有し、
前記底部は、前記内容器に設けた係合部に連係して前記開口が前記外周壁に囲まれた状態で維持される被係合部を備えた弾性部を有し、
前記弾性部は、前記貫通孔から前記外周壁の外側に突出し、該外周壁の内側に向かって押圧することで前記係合部と前記被係合部との連係を解除する突起を有する抽出容器である。
【０００９】
前記貫通孔は、前記一端側雄ねじにおける隣り合うねじ山の相互間に位置することが好ましい。
【００１０】
前記外周壁は、該外周壁の他端において前記一端側雄ねじと同形態となる他端側雄ねじを有してなり、
更に、前記一端側雄ねじ及び前記他端側雄ねじに対応する雌ねじを備えたキャップを有することが好ましい。
【００１１】
前記底部と前記内容器との間に、前記外周壁の他端に向けて該内容器を付勢する弾性体を備える好ましい。
【発明の効果】
【００１２】
本発明の抽出容器は、内容物を抽出させる開口を備える内容器と、内容器を移動可能に保持する外容器とを備え、外容器の外周壁には、外容器の底部側に設けられる一端側雄ねじと、一端側雄ねじのねじ山に隣接して設けられる貫通孔とを設け、底部には、内容器に設けた係合部に連係して開口が外周壁に囲まれた状態で維持される被係合部を備えた弾性部を設け、弾性部には、貫通孔から外周壁の外側に突出し、外周壁の内側に向かって押圧することで係合部と被係合部との連係を解除する突起を設けている。すなわち、本発明の抽出容器にあっては、ねじ山に隣接して貫通孔を設けるとともに内容器と外容器の係合を解除するための突起をこの貫通孔から突出させていて、意図して突起を押し込まなければ内容器と外容器の係合が解除できないようにしているので、チャイルドプルーフ機能を有効に発揮させることができる。また本発明では、突起自体に触れにくいようにしてチャイルドプルーフ機能を発揮させているため、突起につながる弾性部に強い弾性力を持たせる必要はない。このため、力の弱い大人でも簡単に内容器と外容器との係合を解除して内容物を抽出させることができる。
【００１３】
また貫通孔をねじ山に隣接させて設けるにあたっては、ねじ山の開始位置や終了位置であってもよいが、この場合、貫通孔の一方側はねじ山に隣接することになるものの、その反対側にはねじ山が無いことになる。この場合でも突起は押圧されにくいものの、隣り合うねじ山の相互間に位置させることによって、突起の両側をねじ山に隣接させることができるため、より確実にチャイルドプルーフ機能を発揮させることができる。
【００１４】
外周壁には、前述の一端側雄ねじとともに、この一端側雄ねじと同形態となる他端側雄ねじを設けておき、更に、一端側雄ねじ及び他端側雄ねじに対応する雌ねじを備えたキャップを設けることにより、普段は他端側雄ねじに係合するようにキャップを装着しておき、内容物を抽出させたいときにはキャップを一端側雄ねじに係合させて、キャップの雌ねじで突起を押し込んで内容器の開口を露出させることができる。すなわち、キャップを使用して突起を押圧することができるので、使い勝手がよくなる。また、内容物を取り出す必要の無いときでもキャップを外容器に保持することができるため、キャップを紛失してしまうおそれがない。更に、他端側雄ねじに係合しているキャップを取り外して一端側雄ねじに係合させる手順は、操作を理解していなければ分かりにくいため、チャイルドプルーフ機能は有効に維持される。
【００１５】
底部と内容器との間に、外周壁の他端に向けて内容器を付勢する弾性体を設ける場合は、突起を押圧すれば内容器が自動的に移動して開口が露出するため、使いやすさが向上する。
【図面の簡単な説明】
【００１６】
【図１】本発明に従う抽出容器の一実施形態につき、内容物の抽出不能状態を示す、（ａ）は側面視での断面図であり、（ｂ）は（ａ）に示すＡ−Ａに沿う断面図である。
【図２】（ａ）は図１（ａ）に示す矢印Ｂに沿う矢視図であり、（ｂ）は（ａ）に示す矢印Ｃに沿う底部の矢視図（底部の平面図）である。
【図３】図１に示す抽出容器における内容物の抽出可能状態を示す、（ａ）は側面視での断面図であり、（ｂ）は（ａ）に示すＤ−Ｄに沿う断面図である。
【図４】図４（ａ）に示す矢印Ｅに沿う矢視図である。
【図５】図４の状態から抽出容器を傾けて内容物を抽出させる状況を説明する図である。
【発明を実施するための形態】
【００１７】
以下、図面を参照しながら本発明に従う抽出容器の一実施形態について説明する。なお、本明細書等における「上」、「下」は、図１（ａ）に示すように、符号３で示す蓋体が上方に位置し、符号６で示す底カバーが下方に位置する状態での向きをいう。
【００１８】
本実施形態の抽出容器は、内容器１、外容器４、弾性体７、キャップ８を備えている。本実施形態における内容器１は、内容器１の周壁として機能する内容器本体２、及び蓋体３で構成されている。また外容器４は、外容器４の外周壁として機能する外容器本体５、及び外容器４の底部として機能する底カバー６で構成されている。
【００１９】
内容器本体２は、概略、有底筒状をなすものであって、円板の一部を直線状に切り取った如き形態をなす概略Ｄ字状の底部２ａと、底部２ａの外縁に連結し横断面形状がＤ字筒状をなす下部周壁２ｂと、下部周壁２ｂの上端に連結して水平方向に延在する段部壁２ｃと、下部周壁２ｂ及び段部壁２ｃに連結する円筒状の上部周壁２ｄを備えている。ここで、底部２ａ、下部周壁２ｂ、段部壁２ｃ、及び上部周壁２ｄの内側には、内容物Ｃを収める収納空間Ｍが形成されている。なお、図１に示した内容物Ｃは比較的粒径の大きい円形状をなすものであるが、大きさや形状は図示したものに限られない。また段部壁２ｃには、下向きに延在する内向き爪部２ｅ（係合部）が設けられていて、上部周壁２ｄには、その外周面において内容器本体２の中心軸Ｏに沿って延在する縦リブ２ｆが設けられている。更に上部周壁２ｄの上方には、内容物Ｃを抽出させる開口２ｇが設けられている。
【００２０】
蓋体３は、円板状をなす蓋板３ａと、蓋板３ａの下面に設けられる環状の嵌合壁３ｂとを備えている。嵌合壁３ｂは、上部周壁２ｄの内側に嵌まる大きさで形成されていて、嵌合壁３ｂを上部周壁２ｄに嵌め込むことで、収納空間Ｍの上部は閉鎖され、蓋体３は内容器本体２に嵌合保持される。
【００２１】
外容器本体５は、概略、両端を開放させた筒状をなすものであって、内容器本体２よりも一回り大きなサイズとなる円筒状の外周壁５ａを備えている。外周壁５ａの内周面には、縦リブ２ｆを収容する縦溝５ｂが設けられている。これにより内容器本体２は、外容器本体５に対して、中心軸Ｏに沿って移動可能且つ回り止め保持される。また外周壁５ａの外周面において、底カバー６が取り付けられる側（一端側）には、一端側雄ねじ５ｃが設けられている。また外周壁５ａには、これを貫通する貫通孔５ｄが、図２（ａ）に示すように一端側雄ねじ５ｃのねじ山に隣接して設けられている。なお、本実施形態における貫通孔５ｄは、一端側雄ねじ５ｃにおける隣り合うねじ山の相互間に設けられていて、貫通孔５ｄの上方及び下方はどちらもねじ山に隣接しているが、貫通孔５ｄを一端側雄ねじ５ｃに対して上方或いは下方に移動させて、貫通孔５ｄにおける上方或いは下方の一方だけがねじ山に隣接するようにしてもよい。また外周壁５ａの一端側には、内径を大きくするとともに底カバー６を嵌合保持できるように構成した保持部５ｅが設けられている。
【００２２】
そして外周壁５ａの外周面における他端側には、一端側雄ねじ５ｃと同形態となる他端側雄ねじ５ｆが設けられている。なお、一端側雄ねじ５ｃと他端側雄ねじ５ｆが同形態であるとは、ねじ山の形状やねじ山のピッチが共通することであって、中心軸Ｏを周回する向きにおけるねじの開始点が相互に異なっていてもよく、またねじ山の数が相互に異なっていてもよい。また外周壁５ａの他端側における内周面には、中心軸Ｏに近づく向きに延在するフランジ５ｇが設けられている。
【００２３】
底カバー６は、円板状をなす底板６ａと、底板６ａの外縁に連結するとともに保持部５ｅに嵌合保持される環状壁６ｂとを備えている。また底板６ａには、上方に向けて立ち上がるリブ６ｃが設けられている。本実施形態のリブ６ｃは、図２（ｂ）に示すように平面視において円弧状をなしていて、中心軸Ｏを中心に均等配置で合計３個設けられている。
【００２４】
また、図１（ａ）に示すように底カバー６は、段部壁２ｃの下方において、底板６ａから上方に延びる板状の弾性片６ｄ（弾性部）を備えている。本実施形態の弾性片６ｄは、底板６ａとの連結部が厚くなっていて根元が補強されているもの、この連結部を起点として中心軸Ｏに近づく向きに傾倒させることができる。そして弾性片６ｄの上方には、内向き爪部２ｅに係合する外向き爪部６ｅ（被係合部）が設けられている。更に弾性片６ｄの外面には、中心軸Ｏから離れる向きに延在し、貫通孔５ｄから外周壁５ａの外側に突出する突起６ｆが設けられている。なお、突起６ｆの外端部は、一端側雄ねじ５ｃのねじ山の頂点を超えないところ（頂点とほぼ同じ位置か、頂点よりも中心軸Ｏ寄り）に位置している。また、図２（ｂ）に示すように突起６ｆの外端部には、傾斜部６ｇが設けられている。なお、突起６ｆに傾斜部６ｇを設ける位置は、一端側雄ねじ５ｃに対して相手側のねじを締め付け方向に動かすことを想定した場合に、相手側のねじが先に突起６ｆに当たる側である。
【００２５】
弾性体７は、本実施形態では螺旋状に巻き回したコイルバネ（金属製でも樹脂製でもよい）である。図１（ａ）に示すように弾性体７は、底部２ａと底板６ａとの間においてリブ６ｃの内側に配置されている。これにより内容器本体２は、上方に向けて常時付勢されている。なお弾性体７は、内容器本体２を上方に向けて移動させるものであればよく、その材質や形状は問わない。例えば、内容器本体２、或いは底カバー６に一体的に設けられる薄板状の弾性片であってもよい。
【００２６】
キャップ８は、円板状をなすキャップ頂壁８ａと、外周壁５ａを取り囲んでキャップ頂壁８ａの外縁に連結するキャップ周壁８ｂとを備えている。またキャップ周壁８ｂの内周面には、一端側雄ねじ５ｃ及び他端側雄ねじ５ｆに対応する雌ねじ８ｃが設けられている。すなわちキャップ８は、他端側雄ねじ５ｆを設けた側に装着することも、一端側雄ねじ５ｃを設けた側に装着することも可能である。
【００２７】
このような構成になる抽出容器は、図１（ａ）に示すように内向き爪部２ｅと外向き爪部６ｅが係合している場合は、開口２ｇは外周壁５ａに囲まれているため、内容物の抽出ができない状態（内容物の抽出不能状態）で維持される。また突起６ｆは、一端側雄ねじ５ｃのねじ山間に設けた貫通孔５ｄから突出していて、また突起６ｆの外端部は、これらのねじ山の頂点を超えないところに位置しているため、一端側雄ねじ５ｃに指が触れることがあっても、突起６ｆは押圧されにくい状態にある。
【００２８】
そして内容物Ｃを抽出させる場合は、他端側雄ねじ５ｆを設けた側に装着されているキャップ８を取り外し、図３（ａ）に示すように一端側雄ねじ５ｃを設けた側に装着する。この時、キャップ８の雌ねじ８ｃにおけるねじ山は、一端側雄ねじ５ｃのねじ山に沿って進むため、突起６ｆは雌ねじ８ｃのねじ山で押圧されることになる。なお本実施形態における突起６ｆには、図２（ｂ）に示した傾斜部６ｇを設けているため、雌ねじ８ｃのねじ山はまず傾斜部６ｇに当たることになる。このため雌ねじ８ｃの進行が妨げられることはなく、キャップ８をスムーズに回転させることができる。そして突起６ｆが押圧されると、図３に示すように弾性片６ｄは中心軸Ｏに近づく向きに傾倒し、内向き爪部２ｅと外向き爪部６ｅの係合が外れるため、弾性体７で付勢されていた内容器本体２は、縦リブ２ｆが縦溝５ｂによってガイドされながら中心軸Ｏに沿って移動し、縦リブ２ｆがフランジ５ｇに当接する位置で停止する。この位置においては、図３、図４に示すように開口２ｇが外周壁５ａから露出しているため、図５に示すように開口２ｇを下に向けた状態で外容器本体５を傾ければ、内容物Ｃを抽出させることができる。
【００２９】
本発明に従う抽出容器は、これまでに述べた実施形態に限定されるものではなく、特許請求の範囲に従う範囲で種々の変更を行ったものでもよいし、他の構成を付加したものでもよい。例えば上述した「弾性部」は、本実施形態では突起６ｆに連結する弾性片６ｄとして説明したが、この他にも種々のものが適用可能である。具体的に説明すると、本実施形態の弾性片６ｄは、上下方向に延在してその下端部を起点に傾倒することができる片持ち支持タイプであるが、例えば周方向に延在する弾性片の両側端を支持して、突起を押圧すると弾性片の中央部が径方向内側に向かって撓むように構成した両側支持タイプのものを用いてもよい。また上述した実施形態のように底カバーに一体的に設けられるものに限られず、別部材として設けた突起を、例えばコイルバネ等で付勢するような構成としてもよい。
【符号の説明】
【００３０】
１：内容器
２：内容器本体
２ａ：底部
２ｂ：下部周壁
２ｃ：段部壁
２ｄ：上部周壁（周壁）
２ｅ：内向き爪部（係合部）
２ｆ：縦リブ
２ｇ：開口
３：蓋体
３ａ：蓋板
３ｂ：嵌合壁
４：外容器
５：外容器本体
５ａ：外周壁
５ｂ：縦溝
５ｃ：一端側雄ねじ
５ｄ：貫通孔
５ｅ：保持部
５ｆ：他端側雄ねじ
５ｇ：フランジ
６：底カバー（底部）
６ａ：底板
６ｂ：環状壁
６ｃ：リブ
６ｄ：弾性片（弾性部）
６ｅ：外向き爪部（被係合部）
６ｆ：突起
６ｇ：傾斜部
７：弾性体
８：キャップ
８ａ：キャップ頂壁
８ｂ：キャップ周壁
８ｃ：雌ねじ
Ｃ：内容物
Ｍ：収納空間
Ｏ：中心軸
【図１】
2018104064.tif 000003
【図２】
2018104064.tif 000004
【図３】
2018104064.tif 000005
【図４】
2018104064.tif 000006
【図５】
2018104064.tif 000007